(57)【要約】      （修正有）【課題】販売促進の為の差別化が可能な、記録媒体の流通システムに使用されるホストコンピュータの提供。【解決手段】情報が格納された記録媒体から読み込んだ情報を使用する（Ｓ１０）端末装置に、ネットワークを通じて１又は複数のサービスを提供する（Ｓ３８）情報システムを構成するホストコンピュータ。端末装置が有するソフトウェア及びハードウェアに関する端末装置情報を評価する為に記録媒体に格納された評価式による端末装置情報の評価結果（Ｓ１６）を端末装置から受信する受信手段（Ｓ３０）と、受信手段（Ｓ３０）が受信した評価結果が所定の条件を満たしていることを確認する確認手段（Ｓ３４）と、確認手段（Ｓ３４）が確認した場合に、特定のサービスを端末装置に提供する手段（Ｓ３８）とを備えている。【選択図】図２
2007226817.tif 000002
【特許請求の範囲】
【請求項１】
情報が格納された記録媒体から読み込んだ前記情報を使用する端末装置に、ネットワークを通じて１又は複数のサービスを提供する情報システムを構成するホストコンピュータにおいて、
前記端末装置が有するソフトウェア及びハードウェアに関する端末装置情報を評価する為に前記記録媒体に格納された評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とするホストコンピュータ。
【請求項２】
情報が格納された記録媒体から読み込んだ前記情報を使用する端末装置に、ネットワークを通じて１又は複数のサービスを提供する情報システムを構成するホストコンピュータにおいて、
前記端末装置が有するソフトウェア及びハードウェアに関する端末装置情報を評価する為の複数種類の評価式を前記端末装置へ送信する評価式送信手段と、該評価式送信手段が送信した評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とするホストコンピュータ。
【請求項３】
情報が格納された記録媒体から読み込んだ前記情報を使用する端末装置に、ネットワークを通じてホストコンピュータが１又は複数のサービスを提供する情報システムを構成する端末装置において、
自身が有するソフトウェア及びハードウェアに関する端末装置情報を収集する収集手段と、該収集手段が収集した端末装置情報を評価式により評価する評価手段と、該評価手段の評価結果が所定の条件を満たしているか否かを判断する判断手段と、該判断手段が前記評価結果は所定の条件を満たしていると判断したときに、前記評価結果を前記ホストコンピュータへ送信する評価結果送信手段とを備えることを特徴とする端末装置。
【請求項４】
前記評価手段は、前記記録媒体に格納された評価式により評価する請求項３記載の端末装置。
【請求項５】
前記端末装置情報を評価する為の複数種類の評価式を前記ホストコンピュータから受信する評価式受信手段と、該評価式受信手段が受信した複数種類の評価式から１種類の評価式を選択する評価式選択手段とを備え、前記評価手段は、該評価式選択手段が選択した評価式により評価する請求項４記載の端末装置。
【請求項６】
情報が格納された記録媒体から読み込んだ前記情報を使用するコンピュータに、ネットワークを通じてホストコンピュータが１又は複数のサービスを提供する情報システムを構成する記録媒体において、
コンピュータに、該コンピュータが有するソフトウェア及びハードウェアに関するコンピュータ情報を収集させる収集ステップと、該収集ステップが収集したコンピュータ情報を評価式により評価させる第１の評価ステップと、該第１の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したコンピュータ読み取り可能な記録媒体。
【請求項７】
情報が格納された記録媒体から読み込んだ前記情報を使用するコンピュータに、ネットワークを通じてホストコンピュータが１又は複数のサービスを提供する情報システムを構成する記録媒体において、
コンピュータに、該コンピュータが有するソフトウェア及びハードウェアに関するコンピュータ情報を収集させる収集ステップと、該収集ステップが収集したコンピュータ情報を評価させる為の複数種類の評価式を前記ホストコンピュータから受信させる評価式受信ステップと、該評価式受信ステップが受信した複数種類の評価式から１種類の評価式を選択させる評価式選択ステップと、前記収集ステップが収集したコンピュータ情報を、前記評価式選択ステップが選択した評価式により評価させる第２の評価ステップと、第２の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したコンピュータ読み取り可能な記録媒体。
【請求項８】
情報が格納された記録媒体から読み込んだ前記情報を使用する端末装置に、ネットワークを通じて１又は複数のサービスを提供する情報システムを構成するホストコンピュータが使用するプログラムを記録してある記録媒体において、
コンピュータに、前記端末装置が有するソフトウェア及びハードウェアに関する端末装置情報を評価する為に記録媒体に格納された評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したコンピュータ読み取り可能な記録媒体。
【請求項９】
情報が格納された記録媒体から読み込んだ前記情報を使用する端末装置に、ネットワークを通じて１又は複数のサービスを提供する情報システムを構成するホストコンピュータが使用するプログラムを記録してある記録媒体において、
コンピュータに、前記端末装置が有するソフトウェア及びハードウェアに関する端末装置情報を評価する為の複数種類の評価式を前記端末装置へ送信させる評価式送信ステップと、該評価式送信ステップが送信した評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したコンピュータ読み取り可能な記録媒体。
【発明の詳細な説明】
【技術分野】
【０００１】
本発明は、情報が格納された記録媒体をユーザに供給し、記録媒体から読み込んだ情報を使用するユーザの端末装置に、ネットワークを通じてホストコンピュータが種々のサービスを提供する、超流通と称される流通システムに使用されるホストコンピュータ、端末装置及び記録媒体に関するものである。
【背景技術】
【０００２】
超流通は、図１に示すように、ベンダ２が発行した可搬記録媒体８（記録媒体；有償又は無償）が、販売店（書店、パソコンショップ等）７その他を経由してユーザに供給され、この可搬記録媒体８を駆動しこの可搬記録媒体８に格納された情報を使用するユーザの端末装置４〜６に、ネットワーク３を通じてベンダ２のホストコンピュータ１が種々のサービスを供給し、ベンダ２がその料金を徴収するような流通システムである。
【特許文献１】特開平０６−２３０８４７号公報
【特許文献２】特開平０８−０５５０２１号公報
【特許文献３】特開平０８−０８３２０５号公報
【発明の開示】
【発明が解決しようとする課題】
【０００３】
上述したような超流通では、記録媒体に格納された情報が同一内容である場合、他のベンダが発行した記録媒体を購入したときよりも有利となるような、販売促進の為の差別化を行うことは困難であった。
本発明は、上述したような事情に鑑みてなされたものであり、販売促進の為の差別化が可能な、記録媒体の流通システムに使用されるホストコンピュータ、端末装置及び記録媒体を提供することを目的とする。
【課題を解決するための手段】
【０００４】
本発明に係るホストコンピュータは、情報が格納された記録媒体から読み込んだ前記情報を使用する端末装置に、ネットワークを通じて１又は複数のサービスを提供する情報システムを構成するホストコンピュータにおいて、前記端末装置が有するソフトウェア及びハードウェアに関する端末装置情報を評価する為に前記記録媒体に格納された評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とする。
【０００５】
このホストコンピュータでは、端末装置のソフトウェア及びハードウェアに関する端末装置情報を評価する為に可搬記録媒体に格納された評価式による端末装置情報の評価結果を、受信手段が端末装置から受信する。そして、確認手段が、受信手段が受信した評価結果が所定の条件を満たしていることを確認した場合に、提供する手段が、特定のサービスを端末装置に提供する。
【０００６】
本発明に係るホストコンピュータは、情報が格納された記録媒体から読み込んだ前記情報を使用する端末装置に、ネットワークを通じて１又は複数のサービスを提供する情報システムを構成するホストコンピュータにおいて、前記端末装置が有するソフトウェア及びハードウェアに関する端末装置情報を評価する為の複数種類の評価式を前記端末装置へ送信する評価式送信手段と、該評価式送信手段が送信した評価式による前記端末装置情報の評価結果を前記端末装置から受信する受信手段と、該受信手段が受信した評価結果が所定の条件を満たしていることを確認する確認手段と、該確認手段が確認した場合に、特定のサービスを前記端末装置に提供する手段とを備えることを特徴とする。
【０００７】
このホストコンピュータでは、端末装置のハードウェア及びソフトウェアに関する端末装置情報を評価する為の複数種類の評価式を、評価式送信手段が端末装置へ送信する。そして、受信手段が、評価式送信手段が送信した評価式による端末装置情報の評価結果を端末装置から受信し、確認手段が、受信手段が受信した評価結果が所定の条件を満たしていることを確認した場合に、特定のサービスを端末装置に提供する。
【０００８】
本発明に係る端末装置は、情報が格納された記録媒体から読み込んだ前記情報を使用する端末装置に、ネットワークを通じてホストコンピュータが１又は複数のサービスを提供する情報システムを構成する端末装置において、自身が有するソフトウェア及びハードウェアに関する端末装置情報を収集する収集手段と、該収集手段が収集した端末装置情報を評価式により評価する評価手段と、該評価手段の評価結果が所定の条件を満たしているか否かを判断する判断手段と、該判断手段が前記評価結果は所定の条件を満たしていると判断したときに、前記評価結果を前記ホストコンピュータへ送信する評価結果送信手段とを備えることを特徴とする。
【０００９】
この端末装置では、収集手段が、自身が有するソフトウェア及びハードウェアに関する端末装置情報を収集し、収集した端末装置情報を評価手段が評価式により評価する。そして、判断手段が、評価手段の評価結果が所定の条件を満たしていると判断したときに、評価結果送信手段がその評価結果をホストコンピュータへ送信する。
【００１０】
本発明に係る端末装置は、評価手段は、前記記録媒体に格納された評価式により評価することを特徴とする。
【００１１】
この端末装置では、収集手段が、自身が有するソフトウェア及びハードウェアに関する端末装置情報を収集し、評価手段が、収集手段が収集した端末装置情報を、記録媒体に格納された評価式により評価する。そして、判断手段が、評価手段の評価結果が所定の条件を満たしていると判断したときに、評価結果送信手段がその評価結果をホストコンピュータへ送信する。
【００１２】
本発明に係る端末装置は、前記端末装置情報を評価する為の複数種類の評価式を前記ホストコンピュータから受信する評価式受信手段と、該評価式受信手段が受信した複数種類の評価式から１種類の評価式を選択する評価式選択手段とを備え、前記評価手段は、該評価式選択手段が選択した評価式により評価することを特徴とする。
【００１３】
この端末装置では、収集手段が、自身が有するソフトウェア及びハードウェアに関する端末装置情報を収集し、評価式受信手段が、端末装置情報を評価する為の複数種類の評価式をホストコンピュータから受信し、評価式選択手段が、評価式受信手段が受信した複数種類の評価式から１種類の評価式を選択する。そして、評価手段が、収集手段が収集した端末装置情報を、評価式選択手段が選択した評価式により評価する。判断手段がこの評価結果は所定の条件を満たしていると判断したときに、評価結果送信手段がその評価結果をホストコンピュータへ送信する。
【００１４】
本発明に係る記録媒体は、情報が格納された記録媒体から読み込んだ前記情報を使用するコンピュータに、ネットワークを通じてホストコンピュータが１又は複数のサービスを提供する情報システムを構成する記録媒体において、コンピュータに、該コンピュータが有するソフトウェア及びハードウェアに関するコンピュータ情報を収集させる収集ステップと、該収集ステップが収集したコンピュータ情報を評価式により評価させる第１の評価ステップと、該第１の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したことを特徴とする。
【００１５】
この記録媒体に記録してあるコンピュータプログラムを使用する端末装置は、自身が有するソフトウェア及びハードウェアに関する端末装置情報を収集し、収集した端末装置情報を評価式により評価する。そして、この評価結果が所定の条件を満たしていると判断したときに、この評価結果をホストコンピュータへ送信する。
【００１６】
本発明に係る記録媒体は、情報が格納された記録媒体から読み込んだ前記情報を使用するコンピュータに、ネットワークを通じてホストコンピュータが１又は複数のサービスを提供する情報システムを構成する記録媒体において、コンピュータに、該コンピュータが有するソフトウェア及びハードウェアに関するコンピュータ情報を収集させる収集ステップと、該収集ステップが収集したコンピュータ情報を評価させる為の複数種類の評価式を前記ホストコンピュータから受信させる評価式受信ステップと、該評価式受信ステップが受信した複数種類の評価式から１種類の評価式を選択させる評価式選択ステップと、前記収集ステップが収集したコンピュータ情報を、前記評価式選択ステップが選択した評価式により評価させる第２の評価ステップと、第２の評価ステップの評価結果が所定の条件を満たしているか否かを判断させる判断ステップと、該判断ステップが前記評価結果は所定の条件を満たしていると判断したときに、前記評価結果を前記ホストコンピュータへ送信させる評価結果送信ステップとを実行させる為のプログラムを記録したことを特徴とする。
【００１７】
この記録媒体に記録してあるコンピュータプログラムを使用する端末装置は、自身が有するソフトウェア及びハードウェアに関する端末装置情報を収集し、収集した端末装置情報を評価する為の複数種類の評価式をホストコンピュータから受信する。そして、受信した複数種類の評価式から１種類の評価式を選択し、収集した端末装置情報を、その選択した評価式により評価し、この評価結果が所定の条件を満たしていると判断したときに、この評価結果をホストコンピュータへ送信する。
【００１８】
本発明に係る記録媒体は、情報が格納された記録媒体から読み込んだ前記情報を使用する端末装置に、ネットワークを通じて１又は複数のサービスを提供する情報システムを構成するホストコンピュータが使用するプログラムを記録してある記録媒体において、コンピュータに、前記端末装置が有するソフトウェア及びハードウェアに関する端末装置情報を評価する為に記録媒体に格納された評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したことを特徴とする。
【００１９】
この記録媒体に記録してあるコンピュータプログラムを使用するホストコンピュータは、端末装置が有するソフトウェア及びハードウェアに関する端末装置情報を評価する為に記録媒体に格納された評価式による端末装置情報の評価結果を端末装置から受信する。そして、受信した評価結果が所定の条件を満たしていることを確認した場合に、特定のサービスを端末装置に提供する。
【００２０】
本発明に係る記録媒体は、情報が格納された記録媒体から読み込んだ前記情報を使用する端末装置に、ネットワークを通じて１又は複数のサービスを提供する情報システムを構成するホストコンピュータが使用するプログラムを記録してある記録媒体において、コンピュータに、前記端末装置が有するソフトウェア及びハードウェアに関する端末装置情報を評価する為の複数種類の評価式を前記端末装置へ送信させる評価式送信ステップと、該評価式送信ステップが送信した評価式による前記端末装置情報の評価結果を前記端末装置から受信させる受信ステップと、該受信ステップが受信した評価結果が所定の条件を満たしていることを確認させる確認ステップと、該確認ステップが確認した場合に、特定のサービスを前記端末装置に提供させるステップとを実行させる為のプログラムを記録したことを特徴とする。
【００２１】
この記録媒体に記録してあるコンピュータプログラムを使用するホストコンピュータは、端末装置が有するソフトウェア及びハードウェアに関する端末装置情報を評価する為の複数種類の評価式を端末装置へ送信し、送信した評価式による端末装置情報の評価結果を端末装置から受信する。そして、受信した評価結果が所定の条件を満たしていることを確認した場合に、特定のサービスを端末装置に提供する。
【発明の効果】
【００２２】
本発明に係るホストコンピュータ、端末装置及び記録媒体によれば、販売促進の為の差別化が可能な、可搬記録媒体の流通システムを実現することができる。
【発明を実施するための最良の形態】
【００２３】
以下に、本発明に係るホストコンピュータ、端末装置及び記録媒体をその実施の形態を示す図面に基づいて説明する。
図１は、本発明に係るホストコンピュータ及び本発明に係る端末装置の実施の形態を使用する流通システムを説明する為の説明図である。この流通システムは、ベンダ２が発行した可搬記録媒体８（記録媒体、有償又は無償）が、販売店（書店、パソコンショップ等）７その他を経由してユーザに供給される。ユーザは、この可搬記録媒体８を端末装置４〜６により駆動しこの可搬記録媒体８に格納された情報を使用する。ベンダ２は、端末装置４〜６にホストコンピュータ１によりネットワーク３を通じて種々のサービスを提供し、その見返りとして料金を徴収するようになっている。
【００２４】
以下に、本発明に係るホストコンピュータ及び本発明に係る端末装置の動作を、それを示すフローチャートである図２を参照しながら説明する。
端末装置４は、可搬記録媒体８のコンテンツ（情報）を起動し（Ｓ１０）、可搬記録媒体８に格納されている評価式を読み込む（Ｓ１２）。評価式は、端末装置４のコンテンツの導入数（タイトル数）と、コンテンツの版改訂回数と、ユーザが提供した他ユーザに関する情報の量とを含み、例えば、
ＩＦ（（（ＣＩ＞Ｎ１）ＡＮＤ（ＶＵ＞Ｎ２）ＡＮＤ（ＵＩ＞Ｎ３））＝ＴＲＵＥ）  ＳＥＲＶＩＣＥ      （１）
（但し、ＣＩ；コンテンツ導入数（タイトル数）、ＶＵ；コンテンツの版改訂回数（バージョンアップ回数）、ＵＩ；ユーザが提供した情報数、ＳＥＲＶＩＣＥ；条件式を満足したとき特定のサービスをする、Ｎ１，Ｎ２，Ｎ３；定数）
である。
【００２５】
次に、自身のソフトウェア及びハードウェアに関する端末装置情報を収集する（Ｓ１４）。このとき、可搬記録媒体８に関する媒体情報とそのコンテンツに関するコンテンツ情報とを対応させて記憶しておき、各コンテンツが格納されていた可搬記録媒体８が判るようにしておく。また、コンテンツが含むサービス情報及び特典情報（追加サービス情報）を可搬記録媒体８毎に収集記憶しておく。
【００２６】
次に、端末装置４は、収集した（Ｓ１４）端末装置情報により評価式（１）を演算し（Ｓ１６）、その演算結果が、追加サービスに応募する資格を満たしているか判断する（Ｓ１８）。応募する資格を満たしていないときは、既に収集した端末装置情報を蓄積し（Ｓ２０）、新たに端末装置情報を収集した都度（Ｓ１４）評価式（１）を演算し（Ｓ１６）、その演算結果が、追加サービスに応募する資格を満たしているか判断する（Ｓ１８）。
応募する資格を満たしているときは（Ｓ１８）、追加サービスに応募するための、演算結果（評価結果）を含む応募情報を作成し（Ｓ２２）、端末装置４のユーザ固有の暗号キーと共にホストコンピュータ１へ送信する（Ｓ２４）。
【００２７】
ホストコンピュータ１は、端末装置４からの応募情報及び暗号キーを受信し（Ｓ３０）、受信した暗号キーが正確であるか否かを判断し（Ｓ３２）、暗号キーが正確であるときは、受信した応募情報により応募資格があることを確認する（Ｓ３４）。応募資格があることを確認できたときは、応募者名簿に記憶しておき、例えば、一定期間毎にその期間の全応募者の中から当選者を選出する（Ｓ３６）。
【００２８】
次に、ホストコンピュータ１は、当選者の端末装置へコンテンツのライセンス番号を送信する（Ｓ３８）。尚、これは、追加サービスが、可搬記録媒体８に既に格納されているが、通常は利用できないコンテンツを利用できる権利付与である場合である。
コンテンツのライセンス番号を受信した（Ｓ２６）当選者の端末装置は、ユーザがライセンス番号を入力することにより、通常は利用できないコンテンツの利用を開始する（Ｓ２８）。
【００２９】
図３及び図４は、本発明に係るホストコンピュータ及び本発明に係る端末装置の動作を示すフローチャートである。本発明に係るホストコンピュータ及び本発明に係る端末装置の実施の形態を使用する流通システムの構成は、上述した、本発明に係るホストコンピュータ及び本発明に係る端末装置の実施の形態を使用する流通システムの構成（図１）と同様であるので、説明を省略する。
以下に、図３及び図４を参照しながら、本発明に係るホストコンピュータ及び本発明に係る端末装置の動作を説明する。
端末装置４は、可搬記録媒体８のコンテンツ（情報）を起動し（Ｓ５０）、自身のアドレスをホストコンピュータ１へ送信する（Ｓ５２）。
【００３０】
ホストコンピュータ１は、端末装置４からのアドレスを受信し（Ｓ７４）、そのアドレスを、ユーザを管理する為のユーザ管理データベースに記憶しておく（Ｓ７６）。
ホストコンピュータ１は、所定の時間帯になったとき（Ｓ７８）、ユーザ管理データベースに記憶しておいた端末装置のアドレスから、所定の条件を満たす端末装置のアドレスを選択し、選択した端末装置のアドレスへ複数種類の評価式を電子メールにより送信する（Ｓ８０）。
【００３１】
複数種類の評価式を電子メールにより送信された（Ｓ８０）端末装置は、複数種類の評価式を受信し（Ｓ５４）、それらから１種類の評価式を選択する（Ｓ５６）。
評価式は、端末装置４のユーザが使用している周辺装置に関する情報を含み、例えば、
ＩＦ（（（ＤＩＳＫ＞Ｎ１）ＡＮＤ（ＭＯ＞Ｎ２）ＡＮＤ（ＳＣＡＮＥＲ＞Ｎ３））＝ＴＲＵＥ）  ＳＥＲＶＩＣＥ      （２）
（但し、ＤＩＳＫ，ＭＯ，ＳＣＡＮＥＲ；各接続台数、ＳＥＲＶＩＣＥ；条件式を満足したとき特定のサービスをする、Ｎ１，Ｎ２，Ｎ３；定数）
である。尚、評価式は、評価式（１），（２）が含む各条件を任意に組み合わせたものでも良い。また、ホストコンピュータ１が端末装置のアドレスへ送信する評価式は１種類であっても良い。
【００３２】
次に、端末装置４は、自身のソフトウェア及びハードウェアに関する端末装置情報を収集する（Ｓ５８）。このとき、可搬記録媒体８に関する媒体情報とそのコンテンツに関するコンテンツ情報とを対応させて記憶しておき、各コンテンツが格納されていた可搬記録媒体８が判るようにしておく。また、コンテンツが含むサービス情報及び特典情報（追加サービス情報）を可搬記録媒体８毎に収集記憶しておく。
【００３３】
次に、端末装置４は、収集した（Ｓ５８）端末装置情報により評価式（２）を演算し（Ｓ６０）、その演算結果が、追加サービスに応募する資格を満たしているか判断する（Ｓ６２）。応募する資格を満たしていないときは、既に収集した端末装置情報を蓄積し（Ｓ６４）、新たに端末装置情報を収集した都度（Ｓ５８）評価式（２）を演算し（Ｓ６０）、その演算結果が、追加サービスに応募する資格を満たしているか判断する（Ｓ６２）。
応募する資格を満たしているときは（Ｓ６２）、追加サービスに応募するための、演算結果（評価結果）を含む応募情報を作成し（Ｓ６６）、端末装置４のユーザ固有の暗号キーと共にホストコンピュータ１へ送信する（Ｓ６８）。
【００３４】
ホストコンピュータ１は、端末装置４からの応募情報及び暗号キーを受信し（Ｓ８２）、受信した暗号キーが正確であるか否かを判断し（Ｓ８４）、暗号キーが正確であると判断したときは、受信した応募情報により応募資格があることを確認する（Ｓ８６）。応募資格があることを確認できたときは、応募者名簿に記憶しておき、例えば、一定期間毎にその期間の全応募者の中から当選者を選出する（Ｓ８８）。
【００３５】
次に、ホストコンピュータ１は、当選者の端末装置へコンテンツのライセンス番号を送信する（Ｓ９０）。尚、これは、追加サービスが、可搬記録媒体８に既に格納されているが、通常は利用できないコンテンツを利用できる権利付与である場合である。
コンテンツのライセンス番号を受信した（Ｓ７０）当選者の端末装置は、ユーザがライセンス番号を入力することにより、通常は利用できないコンテンツの利用を開始する（Ｓ７２）。
【００３６】
図５は、本発明に係る記録媒体の実施の形態を示す説明図である。この可搬記録媒体８（記録媒体）は、例えばＣＤ−ＲＯＭであり、パーソナルコンピュータＰＣに接続されたディスクドライブＤＤに装填されて駆動される。可搬記録媒体８は、パーソナルコンピュータＰＣを作動させるための、パーソナルコンピュータＰＣのソフトウェア及びハードウェアに関する端末装置情報を収集する収集ステップＳＴ２と、収集ステップＳＴ２が収集した端末装置情報を評価式により評価する第１の評価ステップＳＴ４と、第１の評価ステップＳＴ４の評価結果が所定の条件を満たしているか否かを判断する判断ステップＳＴ６と、判断ステップＳＴ６が評価結果は所定の条件を満たしていると判断したときに、評価結果をホストコンピュータへ送信する評価結果送信ステップＳＴ８とを含んでいる。
パーソナルコンピュータＰＣの可搬記録媒体８による動作は、上述した本発明に係る端末装置の動作（図２）と同様であるので、説明を省略する。
【００３７】
図６は、本発明に係る記録媒体の実施の形態を示す説明図である。この可搬記録媒体８（記録媒体）は、例えばＣＤ−ＲＯＭであり、パーソナルコンピュータＰＣに接続されたディスクドライブＤＤに装填されて駆動される。可搬記録媒体８は、パーソナルコンピュータＰＣを作動させるための、パーソナルコンピュータＰＣのソフトウェア及びハードウェアに関する端末装置情報を収集する収集ステップＳＴ１０と、収集ステップＳＴ１０が収集した端末装置情報を評価する為の複数種類の評価式をホストコンピュータから受信する評価式受信ステップＳＴ１２と、評価式受信ステップＳＴ１２が受信した複数種類の評価式から１種類の評価式を選択する評価式選択ステップＳＴ１４とを含んでいる。
【００３８】
また、可搬記録媒体８は、収集ステップＳＴ１０が収集した端末装置情報を評価式選択ステップＳＴ１４が選択した評価式により評価する第２の評価ステップＳＴ１６と、第２の評価ステップＳＴ１６の評価結果が所定の条件を満たしているか否かを判断する判断ステップＳＴ１８と、判断ステップＳＴ１８が評価結果は所定の条件を満たしていると判断したときに、評価結果をホストコンピュータへ送信する評価結果送信ステップＳＴ２０とを含んでいる。パーソナルコンピュータＰＣの可搬記録媒体８による動作は、上述した本発明に係る端末装置の動作（図３，４）と同様であるので、説明を省略する。
【００３９】
図７は、本発明に係る記録媒体の実施の形態を示す説明図である。この記録媒体９は、例えばＣＤ−ＲＯＭであり、ホストコンピュータＨＣＰに接続されたディスクドライブＤＤに装填されて駆動される。記録媒体９は、ホストコンピュータＨＣＰを作動させる為の、端末装置が有するソフトウェア及びハードウェアに関する端末装置情報を評価する為の、可搬記録媒体に格納された評価式による端末装置情報の評価結果を端末装置から受信する受信ステップＳＴ２２と、受信ステップＳＴ２２が受信した評価結果が所定の条件を満たしていることを確認する確認ステップＳＴ２４と、確認ステップＳＴ２４が確認した場合に、別途用意された追加サービスを端末装置に提供するステップＳＴ２６とを含んでいる。ホストコンピュータＨＣＰの記録媒体９による動作は、上述した本発明に係るホストコンピュータの動作（図２）と同様であるので、説明を省略する。
【００４０】
図８は、本発明に係る記録媒体の実施の形態を示す説明図である。この記録媒体１０は、例えばＣＤ−ＲＯＭであり、ホストコンピュータＨＣＰに接続されたディスクドライブＤＤに装填されて駆動される。記録媒体１０は、ホストコンピュータＨＣＰを作動させるための、端末装置が有するソフトウェア及びハードウェアに関する端末装置情報を評価する為の複数種類の評価式を端末装置へ送信する評価式送信ステップＳＴ２８と、評価式送信ステップＳＴ２８が送信した評価式による端末装置情報の評価結果を端末装置から受信する受信ステップＳＴ３０とを含んでいる。
【００４１】
また、受信ステップＳＴ３０が受信した評価結果が所定の条件を満たしていることを確認する確認ステップＳＴ３２と、確認ステップＳＴ３２が確認した場合に、別途用意された追加サービスを端末装置に提供するステップＳＴ３４とを含んでいる。
ホストコンピュータＨＣＰの記録媒体１０による動作は、上述した本発明に係るホストコンピュータの動作（図３，４）と同様であるので、説明を省略する。
【００４２】
尚、上述した本発明に係る記録媒体の実施の形態では、ＣＤ−ＲＯＭを例として説明したが、その他の例として、図９に示すように、フレキシブルディスク１６、回線先メモリ１７（例えばＤＡＳＤ；Direct Access Storage Device）、コンピュータ１２側のメモリ１８（ＲＡＭ、ハードディスク等）等も該当することは言う迄もない。
【図面の簡単な説明】
【００４３】
【図１】流通システムを説明する為の説明図である。
【図２】本発明に係るホストコンピュータ及び本発明に係る端末装置の動作を示すフローチャートである。
【図３】本発明に係るホストコンピュータ及び本発明に係る端末装置の動作を示すフローチャートである。
【図４】本発明に係るホストコンピュータ及び本発明に係る端末装置の動作を示すフローチャートである。
【図５】本発明に係る記録媒体の実施の形態を示す説明図である。
【図６】本発明に係る記録媒体の実施の形態を示す説明図である。
【図７】本発明に係る記録媒体の実施の形態を示す説明図である。
【図８】本発明に係る記録媒体の実施の形態を示す説明図である。
【図９】記録媒体の例を示す図である。
【符号の説明】
【００４４】
１，ＨＣＰ  ホストコンピュータ
２  ベンダ
３  ネットワーク
４〜６，ＰＣ  端末装置（パーソナルコンピュータ）
８  可搬記録媒体（記録媒体）
９，１０  記録媒体
１２  コンピュータ
１６  フレキシブルディスク
１７  回線先メモリ
１８  メモリ
ＤＤ  ディスクドライブ
【図１】
2007226817.tif 000003
【図２】
2007226817.tif 000004
【図３】
2007226817.tif 000005
【図４】
2007226817.tif 000006
【図５】
2007226817.tif 000007
【図６】
2007226817.tif 000008
【図７】
2007226817.tif 000009
【図８】
2007226817.tif 000010
【図９】
2007226817.tif 000011